【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
入力される音声信号に音声速度変換処理を適用して通常より再生時間を短縮して当該音声信号を聴取するための音声再生装置であって、
前記音声信号に対して音声を含む音声区間と音声を含まない非音声区間とを判別する判別部と、
前記音声区間および前記非音声区間に基づき、所定時間長に対して当該音声区間が含まれる比率を示す音声含有率を少なくとも算出する音声情報算出部と、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出部とを備え、音声含有率の時間的な変動に対して適応的に前記音声区間の速度比を調整する速度制御を行う音声再生装置。
【請求項２】
前記速度比算出部は、ユーザの操作に応じて前記短縮された再生時間を設定し、音声区間における前記変更した速度比に基づいて、前記音声信号の再生時間が前記設定された再生時間となるように前記非音声区間の速度比を算出することを特徴とする、請求項１に記載の音声再生装置。
【請求項３】
前記速度比算出部は、前記設定された再生時間内において前記非音声区間の速度比を一定に算出することを特徴とする、請求項２に記載の音声再生装置。
【請求項４】
前記速度比算出部は、前記所定時間長の設定値を選択することによって音声含有率の時間的な変動に対する前記音声区間の速度比の適応度合いを可変することを特徴とする、請求項１に記載の音声再生装置。
【請求項５】
前記音声再生装置は、
前記入力される音声信号のうち、少なくとも前記所定時間長分の音声信号を含むように当該音声信号を順次更新しながら記録するバッファと、
前記バッファに記録された音声信号に対して音声速度変換処理を行って出力する速度変換部とを、さらに備え、
前記判別部は、前記バッファに記録された前記所定時間長の音声信号に対して前記音声区間と前記非音声区間とを判別し、
前記音声情報算出部は、さらに、前記所定時間長の音声含有率に関する統計値を算出して、これまでに算出した統計値を単位時間毎に順次更新し、
前記速度比算出部は、前記単位時間ごとに更新される前記統計値および当該更新時の前記所定時間長に設定された音声含有率に応じて前記音声区間の速度比を算出し、
前記速度変換部は、前記バッファで順次更新される音声信号に対して、前記単位時間ごとに算出された前記音声区間の速度比を用いて順次音声速度変換処理を行うことを特徴とする、請求項１に記載の音声再生装置。
【請求項６】
前記音声情報算出部は、前記所定時間長の音声含有率に関する統計値をさらに算出し、
前記速度比算出部は、前記統計値および前記所定時間長の音声含有率に応じて前記音声区間の速度比を算出することを特徴とする、請求項１に記載の音声再生装置。
【請求項７】
前記統計値は、前記所定時間長の音声含有率の平均値および標準偏差であることを特徴とする、請求項５または６に記載の音声再生装置。
【請求項８】
前記速度比算出部は、前記所定時間長における音声含有率の前記平均値に対する差分値および前記標準偏差によって得られる値を用いて算出される係数を前記速度比の基準値に乗じて、前記音声区間の速度比を算出することを特徴とする、請求項７に記載の音声再生装置。
【請求項９】
前記音声情報算出部は、それぞれ時間長が異なる前記所定時間長を複数設定してそれぞれ前記音声含有率および前記統計値を算出し、
前記速度比算出部は、前記所定時間長における音声含有率の前記平均値に対する差分値および前記標準偏差によって前記所定時間長毎に得られる値を用いて算出される係数を前記速度比の基準値に乗じて算出することを特徴とする、請求項７に記載の音声再生装置。
【請求項１０】
入力される音声信号に音声速度変換処理を適用して通常より再生時間を短縮して当該音声信号を聴取するための音声再生方法であって、
前記音声信号に対して音声を含む音声区間と音声を含まない非音声区間とを判別する判別ステップと、
前記音声区間および前記非音声区間に基づき、所定時間長に対して当該音声区間が含まれる比率を示す音声含有率を少なくとも算出する音声情報算出ステップと、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出ステップとを含む、音声再生方法。
【請求項１１】
入力される音声信号に音声速度変換処理を適用して通常より再生時間を短縮して当該音声信号を聴取するためのコンピュータで実行される音声再生プログラムを記録した当該コンピュータで読み取り可能な記録媒体であって、
前記コンピュータに、
前記音声信号に対して音声を含む音声区間と音声を含まない非音声区間とを判別する判別ステップと、
前記音声区間および前記非音声区間に基づき、所定時間長に対して当該音声区間が含まれる比率を示す音声含有率を少なくとも算出する音声情報算出ステップと、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出ステップとを実行させるためのプログラムを記録した、コンピュータに読み取り可能な記録媒体。
【請求項１２】
入力される音声信号に音声速度変換処理を適用して通常より再生時間を短縮して当該音声信号を聴取するための集積回路であって、
前記音声信号に対して音声を含む音声区間と音声を含まない非音声区間とを判別する判別部と、
前記音声区間および前記非音声区間に基づき、所定時間長に対して当該音声区間が含まれる比率を示す音声含有率を少なくとも算出する音声情報算出部と、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出部とを備える、集積回路。
【請求項１３】
入力される音声信号に音声速度変換処理を適用して通常より再生時間を短縮して当該音声信号を聴取するための音声録音再生装置であって、
前記入力される音声信号を記録する情報記録部と、
前記情報記録部に記録される前の音声信号に対して音声を含む音声区間と音声を含まない非音声区間とを判別する判別部と、
前記音声区間および前記非音声区間に基づき、所定時間長に対して当該音声区間が含まれる比率を示す音声含有率を少なくとも算出する音声情報算出部と、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出部とを備える、音声録音再生装置。
【請求項１４】
前記情報記録部には、前記音声信号が記録される際に前記判別部が判別した結果が記録され、
前記音声情報算出部は、前記情報記録部に記録された結果に基づいて、前記所定時間長の音声含有率を算出することを特徴とする、請求項１３に記載の音声録音再生装置。
【請求項１５】
前記情報記録部には、前記音声信号が記録される際に、前記判別部が判別した結果および前記所定時間長の音声含有率が記録され、
前記速度比算出部は、前記情報記録部に記録された前記所定時間長の音声含有率を用いて、前記音声区間の速度比を算出することを特徴とする、請求項１３に記載の音声録音再生装置。
【請求項１６】
入力される音声信号に音声速度変換処理を適用して通常より再生時間を短縮して当該音声信号を聴取するための音声録音再生方法であって、
前記入力される音声信号を記録する情報記録ステップと、
前記情報記録ステップに記録される前の音声信号に対して音声を含む音声区間と音声を含まない非音声区間と判別する判別ステップと、
前記音声区間および前記非音声区間に基づき、所定時間長に対して当該音声区間が含まれる比率を示す音声含有率を少なくとも算出する音声情報算出ステップと、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出ステップとを含む、音声録音再生方法。
【請求項１７】
入力される音声信号に音声速度変換処理を適用して通常より再生時間を短縮して当該音声信号を聴取するためのコンピュータで実行される音声録音再生プログラムを記録した記録媒体であって、
前記コンピュータに、
前記入力される音声信号を記録部に記録する情報記録ステップと、
前記記録部に記録される前の音声信号に対して音声を含む音声区間と音声を含まない非音声区間と判別する判別ステップと、
前記音声区間および前記非音声区間に基づき、所定時間長に対して当該音声区間が含まれる比率を示す音声含有率を少なくとも算出する音声情報算出ステップと、
前記音声速度変換処理の比率が１以上の速度比を基準値として予め設定し、前記所定時間長の音声含有率が相対的に高いときに当該所定時間長における前記音声区間の速度比を当該基準値より小さな値に変更し、前記所定時間長の音声含有率が相対的に低いときに当該所定時間長における前記音声区間の速度比を当該基準値より大きな値に変更する速度比算出ステップとを実行させるためのプログラムを記録した、コンピュータに読み取り可能な記録媒体。
【手続補正２】
【補正対象書類名】明細書
【補正対象項目名】００１１
【補正方法】変更
【補正の内容】
【００１１】
第１の発明は、入力される音声信号に音声速度変換処理を適用して通常より再生時間を短縮して当該音声信号を聴取するための音声再生装置であって、音声信号に対して音声を含む音声区間と音声を含まない非音声区間とを判別する判別部と、音声区間および非音声区間に基づき、所定時間長に対して当該音声区間が含まれる比率を示す音声含有率を少なくとも算出する音声情報算出部と、音声速度変換処理の比率が１以上の速度比を基準値として予め設定し、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出部とを備え、音声含有率の時間的な変動に対して適応的に音声区間の速度比を調整する速度制御を行うものである。
【手続補正３】
【補正対象書類名】明細書
【補正対象項目名】００１２
【補正方法】変更
【補正の内容】
【００１２】
第２の発明は、上記第１の発明において、速度比算出部は、ユーザの操作に応じて短縮された再生時間を設定し、音声区間における変更した速度比に基づいて、音声信号の再生時間が設定された再生時間となるように非音声区間の速度比を算出することを特徴とする。
【手続補正４】
【補正対象書類名】明細書
【補正対象項目名】００１４
【補正方法】変更
【補正の内容】
【００１４】
第４の発明は、上記第１の発明において、速度比算出部は、所定時間長の設定値を選択することによって音声含有率の時間的な変動に対する音声区間の速度比の適応度合いを可変することを特徴とする。
【手続補正５】
【補正対象書類名】明細書
【補正対象項目名】００１５
【補正方法】変更
【補正の内容】
【００１５】
第５の発明は、上記第１の発明において、音声再生装置は、入力される音声信号のうち、少なくとも所定時間長分の音声信号を含むように当該音声信号を順次更新しながら記録するバッファと、バッファに記録された音声信号に対して音声速度変換処理を行って出力する速度変換部とを、さらに備え、判別部は、バッファに記録された所定時間長の音声信号に対して音声区間と非音声区間とを判別し、音声情報算出部は、さらに、所定時間長の音声含有率に関する統計値を算出して、これまでに算出した統計値を単位時間毎に順次更新し、速度比算出部は、単位時間ごとに更新される統計値および当該更新時の所定時間長に設定された音声含有率に応じて音声区間の速度比を算出し、速度変換部は、バッファで順次更新される音声信号に対して、単位時間ごとに算出された音声区間の速度比を用いて順次音声速度変換処理を行うことを特徴とする。
【手続補正６】
【補正対象書類名】明細書
【補正対象項目名】００１６
【補正方法】変更
【補正の内容】
【００１６】
第６の発明は、上記第１の発明において、音声情報算出部は、所定時間長の音声含有率に関する統計値をさらに算出し、速度比算出部は、統計値および所定時間長の音声含有率に応じて音声区間の速度比を算出することを特徴とする。
【手続補正７】
【補正対象書類名】明細書
【補正対象項目名】００１７
【補正方法】変更
【補正の内容】
【００１７】
第７の発明は、上記第５または６の発明において、統計値は、所定時間長の音声含有率の平均値および標準偏差であることを特徴とする。
【手続補正８】
【補正対象書類名】明細書
【補正対象項目名】００１８
【補正方法】変更
【補正の内容】
【００１８】
第８の発明は、上記第７の発明において、速度比算出部は、所定時間長における音声含有率の平均値に対する差分値および標準偏差によって得られる値を用いて算出される係数を速度比の基準値に乗じて、音声区間の速度比を算出することを特徴とする。
【手続補正９】
【補正対象書類名】明細書
【補正対象項目名】００１９
【補正方法】変更
【補正の内容】
【００１９】
第９の発明は、上記第７の発明において、音声情報算出部は、それぞれ時間長が異なる所定時間長を複数設定してそれぞれ音声含有率および統計値を算出し、速度比算出部は、所定時間長における音声含有率の平均値に対する差分値および標準偏差によって所定時間長毎に得られる値を用いて算出される係数を速度比の基準値に乗じて算出することを特徴とする。
【手続補正１０】
【補正対象書類名】明細書
【補正対象項目名】００２０
【補正方法】変更
【補正の内容】
【００２０】
第１０の発明は、入力される音声信号に音声速度変換処理を適用して通常より再生時間を短縮して当該音声信号を聴取するための音声再生方法であって、音声信号に対して音声を含む音声区間と音声を含まない非音声区間とを判別する判別ステップと、音声区間および非音声区間に基づき、所定時間長に対して当該音声区間が含まれる比率を示す音声含有率を少なくとも算出する音声情報算出ステップと、音声速度変換処理の比率が１以上の速度比を基準値として予め設定し、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出ステップとを含む。
【手続補正１１】
【補正対象書類名】明細書
【補正対象項目名】００２１
【補正方法】変更
【補正の内容】
【００２１】
第１１の発明は、入力される音声信号に音声速度変換処理を適用して通常より再生時間を短縮して当該音声信号を聴取するためのコンピュータで実行される音声再生プログラムを記録した当該コンピュータで読み取り可能な記録媒体であって、コンピュータに、音声信号に対して音声を含む音声区間と音声を含まない非音声区間とを判別する判別ステップと、音声区間および非音声区間に基づき、所定時間長に対する当該音声区間が含まれる比率を示す音声含有率を少なくとも算出する音声情報算出ステップと、音声速度変換処理の比率が１以上の速度比を基準値として予め設定し、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出ステップとを実行させるためのプログラムを記録した、コンピュータに読み取り可能な記録媒体である。
【手続補正１２】
【補正対象書類名】明細書
【補正対象項目名】００２２
【補正方法】変更
【補正の内容】
【００２２】
第１２の発明は、入力される音声信号に音声速度変換処理を適用して通常より再生時間を短縮して当該音声信号を聴取するための集積回路であって、音声信号に対して音声を含む音声区間と音声を含まない非音声区間とを判別する判別部と、音声区間および非音声区間に基づき、所定時間長に対して当該音声区間が含まれる比率を示す音声含有率を少なくとも算出する音声情報算出部と、音声速度変換処理の比率が１以上の速度比を基準値として、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出部とを備える。
【手続補正１３】
【補正対象書類名】明細書
【補正対象項目名】００２３
【補正方法】変更
【補正の内容】
【００２３】
第１３の発明は、入力される音声信号に音声速度変換処理を適用して通常より再生時間を短縮して当該音声信号を聴取するための音声録音再生装置であって、入力される音声信号を記録する情報記録部と、情報記録部に記録される前の音声信号に対して音声を含む音声区間と音声を含まない非音声区間とを判別する判別部と、音声区間および非音声区間に基づき、所定時間長に対して当該音声区間が含まれる比率を示す音声含有率を少なくとも算出する音声情報算出部と、音声速度変換処理の比率が１以上の速度比を基準値として予め設定し、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出部とを備える。
【手続補正１４】
【補正対象書類名】明細書
【補正対象項目名】００２４
【補正方法】変更
【補正の内容】
【００２４】
第１４の発明は、上記第１３の発明において、情報記録部には、音声信号が記録される際に判別部が判別した結果が記録され、音声情報算出部は、情報記録部に記録された結果に基づいて、所定時間長の音声含有率を算出することを特徴とする。
【手続補正１５】
【補正対象書類名】明細書
【補正対象項目名】００２５
【補正方法】変更
【補正の内容】
【００２５】
第１５の発明は、上記第１３の発明において、情報記録部には、音声信号が記録される際に、判別部が判別した結果および所定時間長の音声含有率が記録され、速度比算出部は、情報記録部に記録された所定時間長の音声含有率を用いて、音声区間の速度比を算出することを特徴とする。
【手続補正１６】
【補正対象書類名】明細書
【補正対象項目名】００２６
【補正方法】変更
【補正の内容】
【００２６】
第１６の発明は、入力される音声信号に音声速度変換処理を適用して通常より再生時間を短縮して当該音声信号を聴取するための音声録音再生方法であって、入力される音声信号を記録する情報記録ステップと、情報記録ステップに記録される前の音声信号に対して音声を含む音声区間と音声を含まない非音声区間と判別する判別ステップと、音声区間および非音声区間に基づき、所定時間長に対して当該音声区間が含まれる比率を示す音声含有率を少なくとも算出する音声情報算出ステップと、音声速度変換処理の比率が１以上の速度比を基準値として予め設定し、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出ステップとを含む。
【手続補正１７】
【補正対象書類名】明細書
【補正対象項目名】００２７
【補正方法】変更
【補正の内容】
【００２７】
第１７の発明は、入力される音声信号に音声速度変換処理を適用して通常より再生時間を短縮して当該音声信号を聴取するためのコンピュータで実行される音声録音再生プログラムを記録した記録媒体であって、コンピュータに、入力される音声信号を記録部に記録する情報記録ステップと、記録部に記録される前の音声信号に対して音声を含む音声区間と音声を含まない非音声区間と判別する判別ステップと、音声区間および非音声区間に基づき、所定時間長に対して当該音声区間が含まれる比率を示す音声含有率を少なくとも算出する音声情報算出ステップと、音声速度変換処理の比率が１以上の速度比を基準値として、所定時間長の音声含有率が相対的に高いときに当該所定時間長における音声区間の速度比を当該基準値より小さな値に変更し、所定時間長の音声含有率が相対的に低いときに当該所定時間長における音声区間の速度比を当該基準値より大きな値に変更する速度比算出ステップとを実行させるためのプログラムを記録した、コンピュータに読み取り可能な記録媒体である。
【手続補正１８】
【補正対象書類名】明細書
【補正対象項目名】００２９
【補正方法】変更
【補正の内容】
【００２９】
第２の発明によれば、設定された再生時間となるように、重要な音声情報が含まれていない非音声区間の速度比を音声区間の速度比とは別に算出することで、音声区間の速度比をユーザが聴取可能な範囲内の速度比に調整することができる
【手続補正１９】
【補正対象書類名】明細書
【補正対象項目名】００３１
【補正方法】変更
【補正の内容】
【００３１】
第４の発明によれば、例えば所定時間長が長い場合には、調整される音声区間の速度比が音声含有率の変動に対して大局的でより正確性の高い値となる。また例えば、所定時間長が短い場合には、調整される音声区間の速度比が音声含有率の変動に対して敏感でより追従性のよい値となる。つまり、所定時間長の設定値を選択して音声含有率の変動に対する音声区間の速度比の適応度合いを可変することによって、正確性または追従性を自由に選択することができる。
【手続補正２０】
【補正対象書類名】明細書
【補正対象項目名】００３６
【補正方法】変更
【補正の内容】
【００３６】
第９の発明によれば、音声含有率の敏感な変動および大局的な変動の双方に対応した最適な音声区間の速度比を算出することができる。
【手続補正２１】
【補正対象書類名】明細書
【補正対象項目名】００４２
【補正方法】変更
【補正の内容】
【００４２】
音声情報算出部１２は、音声／非音声区間の判別情報に基づいて、音声区間および非音声区間の速度比を算出するために必要な音声情報を算出する。音声情報としては、音声含有率、音声含有率の平均値、および標準偏差などを算出する。具体的には、音声情報算出部１２は、録音された番組全体を通して音声含有率を算出した後に、音声含有率の平均値と標準偏差とを算出する。音声情報算出部１２で算出された音声含有率、音声含有率の平均値、および標準偏差は、音声情報記録部１３にそれぞれ記録される。以下、音声含有率、音声含有率の平均値、および標準偏差について説明する。
【手続補正２２】
【補正対象書類名】明細書
【補正対象項目名】００４３
【補正方法】変更
【補正の内容】
【００４３】
音声含有率は、所定数（少なくとも１つ以上）のフレームに対して音声区間が含まれる時間比率を示すものである。音声含有率はフレーム毎に算出される。ここでフレームとは、入力される音声信号を分析するための処理単位であり、当該フレームの時間長をフレーム長とする。当該フレームには、音声区間および／または非音声区間が含まれる。また、音声含有率の算出に用いられる少なくとも１つ以上のフレームを算出用フレームとし、その時間長を算出用フレーム長とする。以下の説明では、一例として、１フレームの時間長（１フレーム長）を１分とする。また、音声含有率を算出するための算出用フレーム長をｎ（ｎは正数）分とする。つまり、１フレーム長を１分としたので、算出用フレームはｎ個のフレームから構成されることとなる。また、録音された番組全体のフレーム数がＮ（Ｎは正数）個あるとする。そして、フレームナンバーをｋ（ｋ＝１〜Ｎ）として、フレームナンバーがｋのときのフレームを「第ｋフレーム」とする。このとき、第ｋフレームの音声含有率Ｒｉｓ＿ｎ（ｋ）は、数式（１）で表現される。
【数１】
2007025039.tif 000001
つまり、数式（１）によって算出される第ｋフレームの音声含有率Ｒｉｓ＿ｎ（ｋ）は、算出用フレーム長に対して音声区間が含まれる時間比率を示す。
【手続補正２３】
【補正対象書類名】明細書
【補正対象項目名】００４４
【補正方法】変更
【補正の内容】
【００４４】
ここで、図２〜図４を参照して、上記音声含有率Ｒｉｓ＿ｎ（ｋ）の算出例を挙げる。図２〜図４では、一例として、テレビ放送のドキュメンタリ番組（３０分間）の音声含有率を算出するとし、１分、５分、および１０分の３種類の算出用フレーム長で算出している。図２は、算出用フレーム長が１分のときの音声含有率Ｒｉｓ＿１（ｋ）の算出例を示す図である。図３は、算出用フレーム長が５分のときの音声含有率Ｒｉｓ＿５（ｋ）の算出例を示す図である。図４は、算出用フレーム長が１０分のときの音声含有率Ｒｉｓ＿１０（ｋ）の算出例を示す図である。なお、図２〜図４において、横軸はフレームナンバー（ｋ）を示し、縦軸は音声含有率（％）を示す。
【手続補正２４】
【補正対象書類名】明細書
【補正対象項目名】００４６
【補正方法】変更
【補正の内容】
【００４６】
図２〜図４に示すように、各算出用フレーム長で音声含有率の変動の様子が異なることが分かる。具体的には、算出用フレーム長が短い場合（図２）には、音声含有率のフレーム間の変動が比較的大きくなる。つまり、算出用フレーム長が短い場合には、音声含有率の実際の変動が敏感に反映されたものとなる。これに対し、図３および図４に示すように、算出用フレーム長が長くなるにつれて、音声含有率のフレーム間の変動が比較的小さくなる。これは、上述したように、算出用フレーム長が長くなるにつれて各フレームの音声含有率が平均化されるためである。つまり、算出用フレーム長が長い場合には、平均化によって小さい変動が吸収され、音声含有率の変動が大局的に反映される。また、各算出用フレーム長の分散および標準偏差も、音声含有率の変動の違いにより、異なる値となる。
【手続補正２５】
【補正対象書類名】明細書
【補正対象項目名】００４８
【補正方法】変更
【補正の内容】
【００４８】
このように、図５に示すように、標準偏差においては、算出用フレーム長が短い場合には、変動が大きく（ばらつきが大きく）なるために標準偏差の値が大きくなる。算出用フレーム長が長い場合には、変動が小さく（ばらつきが小さく）なるために標準偏差の値が小さくなる。つまり、標準偏差は、算出用フレーム長の長さによって大きな影響を受ける値であり、一般的には番組全体における音声区間の存在の偏りを示す値と考えることができる。
【手続補正２６】
【補正対象書類名】明細書
【補正対象項目名】００５０
【補正方法】変更
【補正の内容】
【００５０】
ここで、速度比の算出方法を説明する前に、音声の再生速度と聴き取りやすさの関係について説明する。通常の再生時間より短い時間で音声信号を聴取するために、通常の再生時間に対する再生時間長の設定値である目標再生時間比Ｒｔ（０＜Ｒｔ＜１）が与えられたとする。例えばユーザが通常の再生時間に対して半分の再生時間で聴取しようとすると、目標再生時間比ＲｔはＲｔ＝０．５となる。このような目標再生時間比Ｒｔは、数式（２）で表現される。数式（２）において、音声含有率の平均値をＡ０と、音声含有率が一定であるときの音声区間の速度比をＳＲｓ０と、および音声含有率が一定であるときの非音声区間の速度比をＳＲｎｓ０とする。
【数２】
2007025039.tif 000002
数式（２）より、目標再生時間比Ｒｔおよび音声含有率の平均値Ａ０が与えられ、音声区間の速度比ＳＲｓ０および非音声区間の速度比ＳＲｎｓ０のうち、いずれか一方が決まれば残りの他方が算出されることが分かる。
【手続補正２７】
【補正対象書類名】明細書
【補正対象項目名】００５１
【補正方法】変更
【補正の内容】
【００５１】
数式（２）に示す音声区間の速度比ＳＲｓ０は、一般的に通常速（等倍速）である１．０に近い値ほど聴き取りやすい。音声区間の速度比ＳＲｓ０の値が大きくなるほど、単位時間当たりの情報量が増大するので、ユーザにとって聴取が難しくなる。また、音声区間の速度比ＳＲｓ０の値が２．０程度になると、ユーザが聴き取りに集中しなければ内容を理解することが困難となる。このように、音声区間の速度比ＳＲｓ０が大きい場合、長時間の聴取にかなりの困難さが生じてくる。したがって、音声区間の速度比ＳＲｓ０は、目標再生時間比Ｒｔにある程度左右されることなく、ユーザの聴取可能な範囲内で設定されるのが最適である。これに基づき、通常は音声区間の速度比ＳＲｓ０が１〜１．８程度となる範囲を利用する。また、音声／非音声判別を利用しない一定速度比での再生であれば、実用上は速度比を１．３〜１．５とすることが多い。
【手続補正２８】
【補正対象書類名】明細書
【補正対象項目名】００５２
【補正方法】変更
【補正の内容】
【００５２】
本実施形態においては、上記音声区間の速度比ＳＲｓ０の最適な設定範囲を考慮しつつ、上述したように標準偏差が番組全体における音声区間の存在の偏りの度合いを示すと考え、現在のフレームにおける音声含有率と音声含有率の平均値との差および標準偏差とを用いて音声区間の速度比ＳＲｓ０を可変する。すなわち、速度比ＳＲｓ０を基準値として、音声区間が集中して音声含有率が上記音声含有率の平均値より高い部分に関しては当該基準値より音声区間の速度比を小さな値に変更し、逆に音声含有率が上記音声含有率の平均値より低い部分に関しては当該基準値より音声区間の速度比を大きな値に変更する。
【手続補正２９】
【補正対象書類名】明細書
【補正対象項目名】００５３
【補正方法】変更
【補正の内容】
【００５３】
ここで、番組全体のフレーム数をＮと、算出用フレーム長がｎ分のときの標準偏差をＳｎと、算出用フレーム長がｎ分のときの第ｋフレームにおける音声含有率をＲｉｓ＿ｎ（ｋ）と、第ｋフレームにおける音声区間の速度比をＳＲｓ（ｋ）と、算出用フレーム長がｎ分のときの音声含有率の平均値をＡｎと、算出用フレーム長ごとに異なる重み係数をＣｎと、非音声区間の速度比をＳＲｎｓと、および音声含有率が一定と仮定したときの基準値の速度比をＳＲｓ０とする。なお、非音声区間の速度比ＳＲｎｓは、ここではフレームの音声含有率に依存せず一定値とする。このとき、音声区間の存在の偏りに応じた音声区間の速度比ＳＲｓ（ｋ）は、例えば数式（３）と表現される。
【数３】
2007025039.tif 000003
【手続補正３０】
【補正対象書類名】明細書
【補正対象項目名】００５４
【補正方法】変更
【補正の内容】
【００５４】
さらに、音声区間の速度比ＳＲｓ（ｋ）を音声含有率の大局的な変動および短期的な変動の双方が反映した値として算出する場合には、それぞれ時間長が異なる複数種類の算出用フレーム長の音声情報を用いて算出する。つまり、複数種類の算出用フレーム長の音声情報を多重に用いて音声区間の速度比を算出する。ここで、Ｍ種類の算出用フレーム長の音声情報を用いるとすると、第ｋフレームの音声区間の速度比ＳＲｓ（ｋ）は、数式（４）となる。
【数４】
2007025039.tif 000004
数式（４）において、Ｃｎは、算出用フレーム長ごとに異なる重み係数であり、各算出用フレーム長の音声含有率の偏差を音声区間の速度比ＳＲｓ０に反映させる度合いを示すものである。
【手続補正３１】
【補正対象書類名】明細書
【補正対象項目名】００５５
【補正方法】変更
【補正の内容】
【００５５】
ここで、多重の音声情報として、算出用フレーム長が１分、５分、１０分のときの各音声情報を用いたとき、音声区間の速度比ＳＲｓ（ｋ）は、数式（５）となる。
【数５】
2007025039.tif 000005
ここで、数式（５）により音声情報を多重に用いた速度比の算出結果の一例を図６に示す。図６は、音声情報を多重に用いた速度比の算出結果の一例を示す図である。なお、図６に示す算出例は、数式（５）においてＳＲｓ０＝１．５、Ｃ１＝１、Ｃ５＝１０、Ｃ１０＝２０として算出し、短期的変動よりも長期的な変動に重点を置いた速度比を算出することを意図した例である。また、Ａ１、Ａ５、Ａ１０、Ｓ１、Ｓ５、Ｓ１０、Ｒｉｓ＿１（ｋ）、Ｒｉｓ＿５（ｋ）、およびＲｉｓ＿１０（ｋ）は、それぞれ図２〜図５に示した値である。また、図６では、数式（５）により音声情報を多重に用いた速度比の他に、数式（３）を用いて算出フレーム長（１分、５分、および１０分）に基づく音声情報から算出された各速度比を比較のために示している。
【手続補正３２】
【補正対象書類名】明細書
【補正対象項目名】００５７
【補正方法】変更
【補正の内容】
【００５７】
図６に示すように、音声情報を多重に用いて算出された音声区間の速度比は、それぞれ単独の算出用フレーム長の音声情報のみを用いて算出された速度比と比べて、音声含有率の短期的な変動および長期的な変動の双方が反映された値であることが分かる。つまり、多重の音声情報を用いて算出された音声区間の速度比は、番組全体を通して音声区間の存在の偏りに応じた速度比であり、聴き取りやすい速度となるよう考慮された速度比である。
【手続補正３３】
【補正対象書類名】明細書
【補正対象項目名】００５８
【補正方法】変更
【補正の内容】
【００５８】
速度比算出部１４は、上述した方法で音声区間の速度比ＳＲｓを算出後、入力される再生時間から設定される目標再生時間比Ｒｔを達成するように非音声区間の速度比ＳＲｎｓを算出する。なお、非音声区間の速度比ＳＲｎｓは、上述したように例えば可変とせず一定の速度比とする。これは、有益な情報の大部分が音声区間に含まれているため、音声区間の速度比の調整を重視したことに基づくものである。これにより、本実施形態に係る音声再生装置は、能率良い再生を実現できる。以下、非音声区間の速度比ＳＲｎｓの算出方法について説明する。
【手続補正３４】
【補正対象書類名】明細書
【補正対象項目名】００６０
【補正方法】変更
【補正の内容】
【００６０】
したがって、非音声区間の速度比ＳＲｎｓは、数式（６）を整理して数式（７）となる。
【数７】
2007025039.tif 000006
なお、数式（７）からも分かるように、音声区間の速度比ＳＲｓ（ｋ）がフレーム毎に算出されるのに対して、非音声区間の速度比ＳＲｎｓは、フレームには依存せず（ｋには依存せず）一定速度比として算出される。ここで、非音声区間の速度比ＳＲｎｓの算出例を挙げる。例えば音声区間の速度比が１分、５分、１０分の多重な音声情報を用いて算出されるとする。また、数式（４）において、ＳＲｓ０を１．５と、重み係数をＣ１＝１、Ｃ５＝１０、Ｃ１０＝２０とする。このとき、図６に示したように、音声情報を多重に用いて算出された音声区間の速度比ＳＲｓ（ｋ）は１．２３〜１．６８の範囲の値となる。ここで、目標再生時間比Ｒｔを例えば０．５とする。このとき、非音声区間の速度比ＳＲｎｓは、数式（７）より、３．１７７となる。つまり、非音声区間の速度比ＳＲｎｓは、音声区間の速度比（例えば図６に示す１．２３〜１．６８）より高速の速度比に設定される。このように、速度比算出部１４は、音声情報記録部１３に記録された音声情報を用いて、音声含有率の変動に応じた音声区間の速度比をフレーム毎に算出し、非音声区間の速度比をフレームに関係なく一定の速度比で算出する。そして、算出された音声区間および非音声区間の速度比の情報は、音声速度変換部１５に出力される。
【手続補正３５】
【補正対象書類名】明細書
【補正対象項目名】００６９
【補正方法】変更
【補正の内容】
【００６９】
なお、本実施形態に係る音声再生装置２は、例えばテレビ番組や映画などの音声信号全体が既に記録メディアなどに録音済みであり、録音された音声信号全体のうち一部（所定時間分）の音声信号を一時的に保存しながら逐次的に音声情報を算出して、音声信号の入力に応じて即座に速度変換した再生を行うことを想定した装置である。そのため、本実施形態に係る音声再生装置２は、上述した第１の実施形態に係る音声再生装置１に対して、入力バッファ２１を新たに有し、音声情報逐次更新部２２において音声情報を逐次更新する点で大きく異なる。以下、異なる点を中心に説明する。また、音声／非音声判別部１１、速度比算出部１４、および音声速度変換部１５は、上述した第１の実施形態と同様であるので、同一の符号を付して、詳細な説明を省略する。
【手続補正３６】
【補正対象書類名】明細書
【補正対象項目名】００７２
【補正方法】変更
【補正の内容】
【００７２】
音声含有率の平均値Ａｎは、起動に際して初期値が設定される。そして、音声含有率の平均値Ａｎは、音声信号が入力されるフレーム毎に逐次更新される。上記初期値は、例えば再生する番組のジャンルなどによって異なり、当該ジャンルに合わせて適宜設定される。例えば、頻繁にアナウンサが話す機会の多いテレビのニュース番組などの場合は、音声含有率の平均値が８５％程度となる。また、話者の話す機会が少ない様々な映像シーンを多用するドキュメンタリ番組などの場合は、音声含有率の平均値が５０％程度になる。
【手続補正３７】
【補正対象書類名】明細書
【補正対象項目名】００７３
【補正方法】変更
【補正の内容】
【００７３】
ここで、入力バッファ２１に記録される音声信号の所定時間分を例えば上述した算出用フレーム長（ｎ分）とする。そして、入力バッファ２１は、算出用フレーム長（ｎ分）分の音声信号を確保しながら、例えば１フレーム分の音声信号を順次記録更新していくとする。また、音声情報逐次更新部２２は、例えば音声／非音声判別部１１で１フレーム分の音声／非音声区間が判別される毎に、音声含有率の平均値Ａｎの逐次更新を行うとする。この場合、音声含有率の平均値Ａｎはフレーム毎に更新され、ｋフレーム目の逐次更新される音声含有率の平均値の更新値（以下、音声含有率の更新平均値とする）をＡｎ（ｋ）とする。このとき、音声含有率の更新平均値Ａｎ（ｋ）は、数式（８）で表現される。
【数８】
2007025039.tif 000007
なお、数式（８）において、α１およびβ１は音声含有率の更新平均値Ａｎ（ｋ）の更新速度を規定するパラメータである。すなわち、α１の値が大きいほどｋフレームの１つ前のフレームの更新平均値Ａｎ（ｋ−１）の占める割合が高くなり、更新平均値Ａｎ（ｋ）の更新速度が緩やかになる。また、β１の値が大きいほどｋフレームの音声含有率Ｒｉｓ＿ｎ（ｋ）の占める割合が高くなり、更新平均値Ａｎ（ｋ）の更新速度が速くなる。数値例としては、例えばα１＝０．９８、β１＝０．０２としてもよい。
【手続補正３８】
【補正対象書類名】明細書
【補正対象項目名】００７４
【補正方法】変更
【補正の内容】
【００７４】
また、標準偏差Ｓｎも上記音声含有率の平均値と同様に、起動に際して初期値が設定される。そして、標準偏差Ｓｎは、フレーム毎に逐次更新される。上記初期値は、音声含有率の平均値Ａｎと同様に、例えば再生する番組のジャンルなどによって異なり、当該ジャンルに合わせて適宜設定される。具体的には標準偏差Ｓｎは、上記初期値と、更新平均値Ａｎ（ｋ）と、ｋフレームの音声含有率Ｒｉｓ＿ｎ（ｋ）とを用いて更新される。ここで、ｋフレーム目の標準偏差の更新値をＳｎ（ｋ）とすると、標準偏差の更新値Ｓｎ（ｋ）は、数式（９）で表現される。
【数９】
2007025039.tif 000008
なお、数式（９）において、α２およびβ２は標準偏差の更新値Ｓｎ（ｋ）の更新速度を規定するパラメータである。数値例としては、例えばα２＝０．９８、β２＝０．０２としてもよい。
【手続補正３９】
【補正対象書類名】明細書
【補正対象項目名】００８４
【補正方法】変更
【補正の内容】
【００８４】
なお、上述した情報記録部３１において、音声／非音声判別部１１で判別された音声区間や非音声区間の判別情報に加え、さらに音声情報算出部１２で算出された音声情報が記録されてもよい。この場合、図１０に示すように、音声情報記録部１３は省略される。図１０は、情報記録部３１に音声区間や非音声区間の情報と音声情報とを記録する音声録音再生装置４の構成を示すブロック図である。図１０において、音声録音再生装置４は、音声／非音声判別部１１、情報記録部３１、音声情報算出部１２、速度比算出部１４、および音声速度変換部１５を有する。